(57)【要約】  ポンピング流体を押しのけるための容積式ポンプ装置（１０）が開示される。本装置は、ポンピング流体を受け容れる配管システムに配置された１つまたは複数のポンプ・チャンバ（２２）を備え、配管システムは、弁（２４’）によって閉鎖され得る少なくとも１つの入口（２１）と、弁（２４”）によって閉鎖され得る少なくとも１つの出口（２１”）とを有する。１つまたは複数のポンプ・チャンバ２２は、少なくとも１つの中間流体チャンバ（１３”）を介して、ピストン・ヘッド（１４）およびピストン・ロッド（１５）の形態の少なくとも１つの押しのけ要素と連結されており、押しのけ要素は、それが移動する間に吸込みストロークおよび押しのけストロークを交互に実行することにより、ポンプ・チャンバ（２２）の容積をそれぞれ増加および減少させて、中間流体チャンバ（１３”）内の流体を押しのけるように構成されている。ポンプ・チャンバ（２２）には、中間流体チャンバ（１３”）内の流体をポンピング流体から分離するために、ダイアフラム（２３）の形態の少なくとも１つの可撓性の分離要素が設けられている。さらに、少なくとも押しのけストロークの間に、前記少なくとも１つのピストン・ヘッド（１４）の側に力またはエネルギーを加える加圧手段が設けられ、前記力またはエネルギーが、中間流体チャンバ内（１３”）の流体によってピストン・ヘッド（１４）に加えられた力を打ち消すような形態とし、それによって、ピストン・ヘッド（１４）およびピストン・ロッド（１５）が押しのけストローク運動を実行するために必要な全体の力を低減できる。
2010515857.tif 000002
【特許請求の範囲】
【請求項１】
ポンピング流体を押しのけるための容積式ポンプ装置であって、
前記ポンピング流体を受け容れる配管システムに配置された１つまたは複数のポンプ・チャンバを備え、前記配管システムは、弁によって閉鎖され得る少なくとも１つの入口と、弁によって閉鎖され得る少なくとも１つの出口とを有し、
前記１つまたは複数のポンプ・チャンバは、少なくとも１つの中間流体チャンバを介して、少なくとも１つの押しのけ要素と連結されており、前記押しのけ要素は、それが移動する間に吸込みストロークおよび押しのけストロークを交互に実行することにより、前記ポンプ・チャンバの容積をそれぞれ増加および減少させて、前記中間流体チャンバ内の流体を押しのけるように構成されており、
少なくとも１つの可撓性の分離要素が、前記中間流体チャンバ内の前記流体を前記ポンピング流体から分離するために、前記ポンプ・チャンバに設けられており、
少なくとも前記押しのけストロークの間に、前記少なくとも１つの押しのけ要素の側に力またはエネルギーを加え、その結果、前記力またはエネルギーが、前記中間流体チャンバ内の前記流体によって前記押しのけ要素に加えられた前記力を打ち消し、それによって、前記押しのけ要素の前記押しのけストローク運動を実行するために必要な全体の力を低減する加圧手段が設けられる、ことを特徴とする容積式ポンプ装置。
【請求項２】
前記押しのけ要素は、前記ポンプ・チャンバの１つの側に配置された駆動手段によって移動されることを特徴とする、請求項１に記載の容積式ポンプ装置。
【請求項３】
前記加圧手段が、前記吸込みストロークの間に生成された力またはエネルギーを受けることを特徴とする、請求項１または２に記載の容積式ポンプ装置。
【請求項４】
前記加圧手段が、前記ポンプ・チャンバが配置されている前記側と反対側の前記押しのけ要素の側に配置されることを特徴とする、請求項１〜３のいずれか一項に記載の容積式ポンプ装置。
【請求項５】
前記加圧手段は流体であることを特徴とする、請求項１〜４のいずれか一項に記載の容積式ポンプ装置。
【請求項６】
前記加圧手段は、前記少なくとも１つの押しのけ要素を、前記ポンプ・チャンバが位置付けられた前記側と反対側の前記押しのけ要素の側に係合させる、少なくとも１つのばね要素を備えることを特徴とする、請求項１〜５のいずれか一項に記載の容積式ポンプ装置。
【請求項７】
前記加圧手段は、作動媒体としての気体で付勢された蓄圧器を備え、この蓄圧器が、前記ポンプ・チャンバ空間の前記反対側の側にある、前記少なくとも１つの押しのけ要素の前記側と、連通していることを特徴とする、請求項１〜５のいずれか一項に記載のシングル・アクション式押しのけデバイス。
【請求項８】
前記作動媒体は加圧可能な流体、特に気体、であることを特徴とする、請求項７に記載の容積式ポンプ装置。
【請求項９】
前記ポンプ・チャンバが配置されている前記側と反対側の、少なくとも１つの前記押しのけ要素の側は、別のそれぞれのポンプ・チャンバの前記反対側の側にやはり配置されている、少なくとも１つの前記別の押しのけ要素の側と連通しており、前記押しのけ要素にわたって前記中間流体の押しのけをできるようにすることを特徴とする、請求項１〜８のいずれか一項に記載の容積式ポンプ装置。
【請求項１０】
複数の押しのけ要素は、互いに連通している前記押しのけ要素の前記側の前記容積が隣接しており、前記容積の和が実質的に、またはまったく一定であり続けるように、互いに同位相で平行移動され得ることを特徴とする、請求項１〜９のいずれか一項に記載の容積式ポンプ装置。
【請求項１１】
前記隣接する容積は、マニフォルド内で画成されることを特徴とする、請求項９または１０に記載の容積式ポンプ装置。
【請求項１２】
前記押しのけ要素または各押しのけ要素は、プランジャ・ピストンであることを特徴とする、請求項１〜１１のいずれか一項に記載の容積式ポンプ装置。
【請求項１３】
前記可撓性分離要素または各可撓性分離要素は、前記ポンプ・チャンバに面する前記中間チャンバの１つの壁または壁の一部分を形成することを特徴とする、請求項１〜１２のいずれか一項に記載の容積式ポンプ装置。
【請求項１４】
前記加圧手段は、前記少なくとも１つの押しのけ要素の前記側で、ポンプ・チャンバが配置された前記側と反対側の前記側に向けて、中間媒体を押しのけるように構成されたポンプ要素をさらに備えることを特徴とする、請求項１〜１３のいずれか一項に記載の容積式ポンプ装置。
【請求項１５】
前記押しのけ要素に隣接する前記ポンプ・チャンバの両側は、互いに流体連通しており、前記可撓性の分離要素の前記側において、前記ポンプ・チャンバの前記側から、前記ポンプ・チャンバの前記別の側に向けて、前記中間流体を押しのけられるようにすることを特徴とする、請求項１〜１４のいずれか一項に記載の容積式ポンプ装置。
【請求項１６】
前記配管システムの前記出口内および／または前記入口内の前記圧力に基づいて、前記加圧手段が一部制御されることを特徴とする、請求項１〜１５のいずれか一項に記載の容積式ポンプ装置。
【請求項１７】
前記少なくとも１つの押しのけ要素の前記側で、前記力が加えられる側に生ずる前記温度に基づいて、前記加圧手段が一部制御されることを特徴とする、請求項１〜１６のいずれか一項に記載の容積式ポンプ装置。
【請求項１８】
前記少なくとも１つの押しのけ要素の前記側で、前記力が加えられる側に生ずる圧力に基づいて、前記加圧手段が一部制御されることを特徴とする、請求項１〜１７のいずれか一項に記載の容積式ポンプ装置。
【請求項１９】
前記押しのけ要素の前記反対側のシリンダ・チャンバ内の流体を交換することによって、前記ポンプ・チャンバが配置されているよりも、温度制御が可能であることを特徴とする、請求項１〜１８のいずれか一項に記載の容積式ポンプ装置。
【発明の詳細な説明】
【技術分野】
【０００１】
液体または気体などの媒体をポンピングするための容積式ポンプ装置が開示される。容積式ポンプの運転を制御する方法も本明細書に開示される。この方法および装置は、多くの異なる設計の複数チャンバのポンプを含む容積式ポンプに適用可能である。
【背景技術】
【０００２】
容積式ポンプは広範に使用されている。これらのポンプは、各チャンバが入口および出口を有する、１つまたは複数のポンプ・チャンバを備えることができる。使用時には、入口および出口を順次、開閉させることができる。既知の装置において各ポンプ・チャンバは、ポンプ・チャンバに隣接する何らかの駆動手段によって移動され得る、少なくとも１つの押しのけ要素を有するように構成され得る。押しのけ要素はその移動の間に、吸込みストロークおよび押しのけストロークを交互に実行し、それによってポンプ・チャンバの容積を、それぞれ増加および減少する。
【０００３】
従来技術のいくつかの実施形態では、チャンバの側壁の少なくとも一部を形成し、チャンバを通してポンプ輸送されている流体から押しのけ要素を分離する働きをする、少なくとも１つの可撓性の分離要素を、ポンプ・チャンバが有し得る。
【０００４】
それらの容積式ポンプは一般に、粒子スラリなど腐食性および／または研磨性の媒体、あるいは高温または高圧下にある可能性がある何らかの腐食性の液体または気体をポンピングまたは押しのけるための、ポンプおよび／またはコンプレッサのシステムに使用される。既知の押しのけデバイスの１つの実施形態では、ある量の押しのけられる媒体が、押しのけ要素の吸込みストロークの間に、入口側を通って（かつ配管システムから）ポンプ・チャンバ内に吸い込まれ、これと同量の媒体が、押しのけ要素の押しのけストロークの間に、出口側を通ってポンプ・チャンバ外へ押しのけられる（または強制排出される）。
【０００５】
押しのけ要素を平行移動させる駆動手段は、リニアモータ、磁気駆動装置、流体駆動装置、カムシャフト駆動装置、偏心駆動装置、クランク結合ロッド機構、等であってよい。通常の運転状況で押しのけ要素は、作動圧力によって荷重が加えられる押しのけストロークと、荷重が加えられない、または低荷重の吸込みストロークに耐える。この不均衡な力が作用される結果、押しのけ要素、およびそのそれぞれの部品の構造寸法は、荷重が加えられた押しのけストロークに適合させられる。
【発明の概要】
【発明が解決しようとする課題】
【０００６】
本発明の目的は、可動部に加えられる荷重が著しく低減された、容積式ポンプ装置を提供することである。
【課題を解決するための手段】
【０００７】
本発明は、ポンピング流体を押しのける容積式ポンプ装置を提供するものであり、
本装置は、ポンピング流体を受け容れる配管システムに配置された１つまたは複数のポンプ・チャンバを備え、配管システムは、弁によって閉鎖され得る少なくとも１つの入口と、弁によって閉鎖され得る少なくとも１つの出口とを有し、
１つまたは複数のポンプ・チャンバは、少なくとも１つの中間流体チャンバを介して、少なくとも１つの押しのけ要素と連結されており、押しのけ要素は、それが移動する間に吸込みストロークおよび押しのけストロークを交互に実行することにより、ポンプ・チャンバの容積をそれぞれ増加および減少させて、中間流体チャンバ内の流体を押しのけるように構成されており、
少なくとも１つの可撓性の分離要素が、中間流体チャンバ内の流体をポンピング流体から分離するために、ポンプ・チャンバに設けられており、
本発明によれば、少なくとも押しのけストロークの間に、前記少なくとも１つの押しのけ要素の側に力またはエネルギーを加え、その結果、前記力またはエネルギーが、中間流体チャンバ内の流体によって押しのけ要素に加えられた力を打ち消し、それによって押しのけ要素の押しのけストローク運動を実行するために必要な全体の力を低減する加圧手段が設けられる。
【０００８】
１つの実施形態において押しのけ要素は、ポンプ・チャンバの１つの側に配置された駆動手段によって移動され得る。
【０００９】
１つの実施形態において加圧手段は、吸込みストロークの間に生成された力またはエネルギーを受けることができる。
【００１０】
押しのけ要素に追加の力を加えた結果、押しのけデバイスの作動中に種々の部品が受ける荷重が著しく低減され得る。
【００１１】
さらに、押しのけ要素は、ポンピング流体と直接に接触せず、分離要素および中間流体チャンバを使用して分離されているので、補償力を押しのけ要素に直接加えることができ、またこの押しのけ要素は清浄な中間流体中で作動しているので、さらにその構造上の寸法を制限できる。荷重が加えられる押しのけストロークに補償を行い、荷重が加えられない吸込みストロークにほぼ同じ補償力を加えることにより、押しのけ要素の全ストロークにわたって全荷重が配分される。駆動装置全体により高い押しのけエネルギーを加えることができ、または同じ作動条件でより小さい寸法の駆動手段が使用できる。
【００１２】
１つの実施形態において、ポンプ・チャンバが配置されている側と反対側の押しのけ要素の側に、加圧手段を配置することができる。
【００１３】
１つの実施形態において、加圧手段は油圧オイルまたは液状流体、または気体などの流体であってよい。
【００１４】
別の実施形態において、加圧手段は、前記少なくとも１つの押しのけ要素を、ポンプ・チャンバが位置付けられた側と反対側の押しのけ要素の側に係合させる、少なくとも１つのばね要素を備え得る。
【００１５】
さらに別の実施形態において、加圧手段は作動媒体としての気体で付勢された蓄圧器を備えることができ、この蓄圧器は、ポンプ・チャンバが配置された側と反対側の押しのけ要素の側と連通している。このようにして、特に押しのけストロークの間に、反対圧力または反対向きの力を、効果的に押しのけ要素に加えることができ、その結果、本装置の可動部分に加えられる力または荷重が低下する。この１つの形態において、作動媒体は加圧可能な流体、特に気体であってよい。このような実施形態において、蓄圧器は流体の貯蔵容器として機能することができ、この流体は、押しのけ要素の位置に従って蓄圧器内にまたは外へ押しのけられる。
【００１６】
１つの実施形態において、ポンプ・チャンバが配置されている側と反対側の、少なくとも１つの押しのけ要素の側は、別のそれぞれのポンプ・チャンバの反対側の側にやはり配置されている、少なくとも１つの別の押しのけ要素の側と、連通することができる。この構成の１つの形態において、複数の押しのけ要素は、互いに連通している押しのけ要素の側の容積が隣接しており、容積の和が実質的に、またはまったく一定であり続けるように、互いに同位相で平行移動され得る。
【００１７】
換言すれば、加圧手段が流体であるとき、１つの押しのけ要素が押しのけストロークに延伸しており、別の押しのけ要素が吸込みストロークに引き込まれているそのときに、流体が、１つの押しのけ要素の背後から、別のそれぞれの押しのけ要素の背後へ、流れ得るようにする。この方式の利点は、容積式ポンプの種々のポンプ・セクションが自立的に互いに支持することである。これにより前記媒体が、容積式ポンプの種々のポンプ・チャンバの吐出しストロークを常に支持できるようにして、加圧作動流体を効率的に利用する結果となる。この構成のある特定の形態において、前記隣接する容積はマニフォルド内で画成されてよい。
【００１８】
１つの実施形態において、上述の押しのけ要素または各押しのけ要素は、プランジャ・ピストンであってよい。
【００１９】
１つの実施形態において、上述の可撓性分離要素または各可撓性分離要素は、ポンプ・チャンバに面する中間チャンバの１つの壁または壁の一部分を形成してよい。
【００２０】
１つの実施形態において前記加圧手段は、前記少なくとも１つの押しのけ要素の側で、ポンプ・チャンバが配置された側と反対側の側に向けて、中間媒体を押しのけるように構成されたポンプ要素をさらに備えることができる。
【００２１】
１つの実施形態において、配管システムの出口内の圧力に基づいて、およびできる限り入口内の圧力にも基づいて、加圧手段が一部制御され得る。
【００２２】
１つの実施形態において、前記少なくとも１つの押しのけ要素の前記側で、力が加えられる側に生ずる温度に基づいて、加圧手段が一部制御され得る。
【００２３】
１つの実施形態において、前記少なくとも１つの押しのけ要素の前記側で、力が加えられる側に生ずる圧力に基づいて、加圧手段が一部制御され得る。
【００２４】
発明の概要に前述した方法と装置の範囲内に含まれ得る任意の他の形態にかかわらず、特定の方法と装置の実施形態を例とし、添付する図面を参照して以下に説明する。
【図面の簡単な説明】
【００２５】
【図１】最新の技術による容積式ポンプの外観斜視図である。
【図２ａ】本発明による容積式ポンプの第１の部分的実施形態の概略図である。
【図２ｂ】本発明による容積式ポンプのさらなる部分的実施形態の概略図である。
【図２ｃ】本発明による容積式ポンプのさらなる部分的実施形態の概略図である。
【図３】本発明による容積式ポンプの部分的実施形態の概略図である。
【図４】本発明による容積式ポンプの部分的実施形態の概略図である。
【図５ａ】本発明による容積式ポンプの概略図である。
【図５ｂ】本発明による容積式ポンプの概略図である。
【図５ｃ】本発明による容積式ポンプの概略図である。
【図６ａ】本発明に従った装置を使用して荷重平衡が行われた荷重平衡のある場合と、ない場合の両方の容積式ポンプを使用して実行された、ある押しのけ要素の荷重測定の実験的測定値を示す図である。
【図６ｂ】３つの押しのけ要素、中間チャンバ、ポンプ・チャンバ、および可撓性分離要素の組合せを有し、本発明による装置である容積式ポンプを使用してなされた、ポンプ・クランクシャフト角度の関数としての、個々の押しのけ要素によって発生させられた個々の流体流量の、いくつかの理論計算を示す図である。
【発明を実施するための形態】
【００２６】
本発明を正確に理解するために、以下の図の説明で同じ部品は同じ符号で示される。図１は最新の技術による容積式ポンプの実施形態を示す。ポンプ１０は、３つのポンプ・チャンバ１２ａ〜ｃを備え、それらはクランクケース１１に連結されたポンプ・ハウジング１２内に一体化されている。
【００２７】
容積式ポンプ１０は、この場合は３つの押しのけデバイスとして構成されている。この実施形態において、ポンプ・チャンバ１２は、シリンダ・ピストン組合せ体として構成された３つのポンプ・セクションを備え、その個々のシリンダは１３ａ〜１３ｃで示される。シリンダ・チャンバ１３ａ〜１３ｃ内には、３つのピストン１４ａ〜１４ｃ（図示せず）があり、それらは押しのけ要素として働く。各ピストン１４ａ〜１４ｃはピストン・ロッド１５ａ〜１５ｃ（図３および４を参照せよ）に連結されており、このピストン・ロッド１５ａ〜１５ｃは何らかの形式の駆動手段に連結されている。この実施形態において駆動手段は、クランクケース１１内に回転するように取り付けられたクランクシャフトとして構成されており、この場合内部の歯車伝動装置を介して、駆動シャフト１１１によって駆動される。
【００２８】
回転可能に駆動されるクランクシャフト１１０によって、ピストン１４ａ〜１４ｃは、種々のピストン・ロッド１５ａ〜１５ｃを介してシリンダ・チャンバ１３ａ〜１３ｃ内で往復運動（平行運動）させられ、ポンプ・チャンバの部分を形成する。
【００２９】
ここで図２ａを参照すると、ポンプ・ハウジング２０はポンプ・チャンバ２２を備える。ポンプ・ハウジング２０は、配管システムに組み込まれて入口側部分２１’および出口側部分２１”を有し、入口側部分および出口側部分は両方とも、一方向弁２４’および２４”でそれぞれ閉鎖される。
【００３０】
配管システムを通して流れる媒体を押しのけるために、ピストン・ヘッド１４およびピストン・ロッド１５の組合せ体の形態をした押しのけ要素が設けられ、それは駆動手段（図示せず）によってポンプ・チャンバ２２内へおよび外へと平行移動され得る。平行移動の結果、ピストン・ヘッドおよびロッド１４、１５は吸込みストロークならびに押しのけストロークを行う。吸込みストロークの間、ピストン・ヘッド１４は右側から左側に移動し（図２ａの視点から見て）、それによってポンプ・チャンバ空間２２の容積を増加する。ポンプ輸送される流体または混合物が、この状況で開となっている一方向弁２４’を通って、入口側２１’からポンプ・チャンバ空間２２内に導入される。中間流体チャンバ１３ａ内の流体が右から左へ移動され、ダイアフラム２３の形態の可撓性の分離要素もピストン・ヘッドに向かって左に引き込まれるために、この空間は広がる。
【００３１】
押しのけストロークの間に、図２ａに示すようにピストン・ヘッドおよびロッド１４、１５が、左から右へ移動するとき、ポンプ・チャンバ空間２２の容積は減少させられ、前記ポンプ・チャンバ空間内に存在する流体または混合物は、出口側２１”を介して押しのけられる。一方向弁２４”は開になり、一方、入口側２１’の一方向弁２４’は閉であり続ける。中間流体チャンバ１３ａ内の流体は左から右へ移動させられ、図２ａに示すように、ダイアフラム２３も、外向きに右へそしてピストン・ヘッド１４から離れるように押される。
【００３２】
全体的な平行移動ストロークの間のピストン・ヘッド１４の平行移動の間に、ピストン・ロッド１５および駆動手段に加えられ、その結果として生じた力と平衡するために、吸込みストロークの間に蓄積されたエネルギーが次の押しのけストロークの間に吐き出されるような、加圧手段が設けられ、それによって、押しのけストロークを起こすために必要な力の少なくとも一部を放出する。図２ａに示す実施形態において、加圧手段はばね要素１６１で構成され、ばねは予荷重されていてよく、シリンダ・ハウジング１３の底１３０で支持される。ばね要素１６１は、シリンダ・ハウジング１３内で移動するピストン・ヘッド１４に力を加える。
【００３３】
図２ｂは、本発明による前記加圧手段１６の別の実施形態を示すものであり、加圧手段は蓄圧器１６２を備え、その中には分離要素１６６が配置されて、蓄圧器１６の空間を第１の空間１６８と第２の空間１６７とに分離する。第１の空間１６８は気体が満たされ、できる限り可撓性の膜１６６によって第２の空間１６７内に存在する作動媒体と分離されている。第１の空間１６８に存在する気体は、例えば特定圧力の圧縮空気であってよく、一方第２の空間内に存在する媒体は例えば液体であってよい。蓄圧器１６２は、使用時にピストン・ヘッド１４がその中で移動させられるシリンダ１３の空間１３’と連通しているので、作動媒体はピストン・ヘッド１４に力を加える。
【００３４】
図２ｃに示す実施形態の場合、加圧手段が蓄圧器１６も備え、蓄圧器はこの例では気体状の作動媒体で完全に満たされており、一方図２ｂに示すような分離要素１６６は存在しない。
【００３５】
図３、４、５ａおよび５ｂは容積式ポンプを示し、本実施形態では３段の押しのけデバイスである。しかし図３および４は、ピストン・ヘッド１４およびピストン・ロッド１５の形態の押しのけ要素、中間チャンバ１３”、ポンプ・チャンバ２２、ならびにダイアフラム２３の形態の可撓性分離要素の３つの組合せのうちの１つについて、詳細を示すにすぎない。中間チャンバ１３”内には中間媒体が存在する。いくつかの実施形態では、中間媒体は液体などの非圧縮性流体であり得る。いくつかの実施形態では、ダイアフラムは、分離要素でなくポンプ・チャンバに面する中間チャンバの１つの壁（または壁の部分）を形成する。
【００３６】
シリンダ・チャンバ１３ａ’〜１３ｃ’内での往復運動の間に、ピストン・ヘッド１４ａ〜１４ｃはそれぞれ、中間チャンバ１３”内に存在する中間流体をダイアフラムまたはホース２３の形態の可撓性分離要素の方向に押しのける。ダイアフラムまたはホース２３は、連結フランジ２１ａ’〜２１ａ”を介して配管内に取り付けられ、例えば刺激性または腐食性液体がそれを通って流れ、ポンプ輸送され得る、ポンプ・チャンバ２２から押しのけデバイス１０を隔離する。可撓性分離要素はホース状の要素であってもよい。
【００３７】
押しのけまたは吐出しストロークの間に、押しのけ要素の運動は、中間チャンバ１３”内の中間流体を介してダイアフラム２３に流体的に伝達され、ダイアフラム２３は同様に膨張して、それぞれ２つのフランジ結合２１ａおよび２１ｂの１つを介して、ポンプ・チャンバ２２内に存在するポンピング流体またはスラリをポンプ・アウトする。図３および４に明確に示されているように、配管２１ａ’〜２１ａ”は一方向弁２４ａ’および２４ａ”に結合されており、それによって往復運動可能な可撓性ダイアフラム２３ａを用いて、入口側２１ａ’を通って出口側２１ａ”の方向へポンピング流体またはスラリを押しのけることができる。ポンプ輸送されるスラリ流の脈動を吸収するために、いわゆる脈動ダンピング・デバイス２５ａが、下流配管部分２１ａ”内に取り付けられる。
【００３８】
容積式ポンプが、クランクシャフト１１０、クランクシャフト・ロッド、結合ロッド、およびクロスヘッド（図示せず）を介して駆動されているときに、ピストン・ロッド１５ａ〜１５ｃおよびピストン・ヘッド１４ａ〜１４ｃに加えられる力を低減するために、押しのけデバイスは、ダイアフラム２３の反対側のそれぞれのピストン・ヘッド１４ａ〜１４ｃ側に追加の力を加える、加圧手段を備えている。
【００３９】
加圧手段の第１の実施形態は、ピストン・ロッド１５を囲んで配置されたばね要素１６１の形態であってよく（図２ａ参照）、それはピストン・ヘッド１４ａ〜１４ｃおよびシリンダ・ハウジング１３の底１３０の両方で支持されている。別の形態の加圧手段は、貯蔵タンク１６０から供給される加圧可能な作動媒体を備えてよい（図３および４参照）。前記加圧可能な媒体は、ポンプ１６１、弁１６２、ならびに供給ライン１６ｄおよび１６ａ〜１６ｃのそれぞれによってハウジング１３ａ〜１３ｃの第１のシリンダ・チャンバ１３ａ’〜１３ｂ’〜１３ｃ’に供給される流体であってよい。
【００４０】
力補償システムの加圧は、押しのけデバイスの起動時に一度だけ行い、その後は、漏れによる損失を補充または補償するため、容積式デバイスの排出圧力の変化を調整するため、または温度制御目的のために流体を補給するためにのみ使用される。参照符号１６３ａは、過剰な中間作動媒体を蓄圧タンク１６０内へ蓄積するための戻りラインを示す。
【００４１】
力補償システムの加圧は、押しのけシステム自体によっても行われ、特に中間流体を用いてより多く行われ、中間流体は中間チャンバ１３ａ”からフィードバック配管１６３ｄを介して弁１６２ならびに供給配管１６ｄおよび１６ａ〜１６ｃへ、それぞれ戻される。この実施形態を図４に示す。
【００４２】
そのような構成において、吐出ストロークの間に追加の流体力または圧力がピストン・ヘッド１４ａ〜１４ｃに加えられ、その結果種々の部品にかけられる荷重は、単一押しのけ要素の実施形態に関して既に説明されたように、使用時に発生する運転力によって低減される。したがって、本質的に、容積式ポンプ１０の押しのけ力を伝達する可動部品は、同じ運転条件に対してより小さい寸法で設計でき、または使用できる。
【００４３】
図４は別の概略図を示し、さらなる実施形態において各ポンプ・セクションの中間チャンバ１３ａ”〜１３ｃ”は、配管１６３ｄを介して弁１６２に連結されている。この構成において、中間チャンバ１３ａ”〜１３ｃ”に存在する流体媒体は吐出しストロークの間に、圧力下で排出され、別のポンプ・セクションの第１の圧力チャンバ１３ａ’〜１３ｂ’に供給されるように使用され得る。同様に第１のシリンダ・チャンバ１３ａ’〜１３ｃ’に存在する流体媒体は、吸込みストロークの間に、配管１６ａ〜１６ｃ、および共通配管１６ｄ（またはマニフォルド）を介して、別のポンプ・セクションの第１のシリンダ・チャンバ１３ａ’〜１３ｃ’へ圧力下で排出され、それによって別の配管セクションは、同時に押しのけストロークまたは吐出しストロークを実行する。
【００４４】
このようにして種々の部分は、吐出しストロークおよび吸込みストロークを交互に実行して、圧力下で流体媒体を往復的に押しのけることによって相互に支持する。したがって、吐出しストロークの間に、駆動手段、クランクシャフト、および歯車によって、種々の可動部品に送られることが必要な力は著しく低減され、それによって種々の部品はより小さい寸法で設計可能となる。これにより結果として、シングル・アクション式押しのけデバイスのために、より小型の駆動手段ユニットまたはクランクシャフト・ユニットとすることができて、さらに製造が安価になり得る。
【００４５】
いくつかの構成において、ピストンおよびピストン・ロッドに加えられる力を低減するために使用される流体は、種々の部分が吐出しおよび吸込みストロークする間に、可撓性ダイアフラム２３ａ〜２３ｃ（２３）を移動させるために使用される、中間媒体と同じものである。
【００４６】
図５ａ、５ｂ、および５ｃは、図３および４に示す実施形態をさらに複雑にしたものを示すものであり、それらは３つの押しのけセクションで形成され、それぞれ何らかの形式の加圧手段によって制御される。図５ａ〜５ｃに示す実施形態では、図２ｃに示すような蓄圧器１６３が使用され、これは、単一の実施形態とは異なり、この場合にはチャンバ１３ａ’〜１３ｃ’の容積増減によりほとんど弾性をもたらさないので、これらのチャンバ１３ａ’〜１３ｃ’は使用時に他の形で互いに容積を補償する。図５ａ〜５ｃに示す実施形態では、熱的効果、小さな機械的（製造上の）差異（種々の押しのけ要素の不適切な位相制御など）、および少量の漏洩損失を補償するために、いくらかの弾性は必要とされる。
【００４７】
図５ａの実施形態は、本発明による受動的に運転される加圧手段の構造を開示するものである。供給ライン１６ｄと連結された加圧可能な作動流体媒体が貯蔵タンク１６０内に貯蔵されている。供給ライン１６ｄは、さらにそれぞれのライン１６３ａ〜ｃを介してチャンバ１３ａ”〜１３ｃ”と連結され、そのそれぞれに逆止弁１７０が配置されており、吸込みおよび加圧ストロークの間に中間チャンバ流体が、供給ライン１６ｄへ、したがって可撓性のダイアフラム２３ａ〜２３ｃから離れたピストン・ヘッド１４ａ〜１４ｃの側に向かって、押しのけられるようする。
【００４８】
個々のシリンダが排出ストロークをする間に、ライン１６３ａ〜ｃ内の逆止弁は、流体圧力を平衡マニフォルドまたは供給ライン１６ｄにもたらす。タンク１６０へのドレン・ライン１７２内のオリフィス１７１は、マニフォルド１６ｄからタンク１６０への連続的な漏洩を生じる。この漏洩は供給ライン１６３ａ〜ｃを通して再び補償される。タンク１６０へのドレン流によってマニフォルド１６ｄ内の圧力が低下すると、その圧力は、ピストンの排出ストロークの間に、中間チャンバ１３ａ”〜１３ｃ”内の排出圧力より低くなる。中間チャンバ１３ａ”〜１３ｃ”から流体を抜き出すことにより、その流体は逆止弁１７０を越えライン１６３ａ〜ｃを経由して流れ、ライン１６ｄ内の圧力は自動的に増加される。中間チャンバは「正常な（‘ｎｏｒｍａｌ’）」ダイアフラム位置制御システムによって再び満たされる。
【００４９】
前記連続的な漏洩によって、ライン１６ｄ内に流体が連続的に補給され、それによって、その圧力がポンプの排出圧力に等しくなるように、マニフォルド１６ｄ内の冷却、および圧力の自動圧力制御が行われる。
【００５０】
図５ｂおよび５ｃに、能動的に作動する加圧手段のための、２つの異なる技術を示す。参照符号１８０は、脈動ダンピング・デバイス２５ａ内、または出口配管２１ａ”内に配置された圧力センサを示し、一方参照符号１８１は入口配管２１ａ’内に配置された圧力センサを示す。圧力センサは両方とも、それぞれ信号ライン１８０ａおよび１８１ａを介して制御デバイス１８２に連結されている。制御デバイス１８２は、圧力を増加するために作動流体の通路とするように弁１６２を制御する。制御デバイス１８２は、作動流体を排出してシステム内の圧力を低下するために、弁１６４も制御する。
【００５１】
さらに供給ライン１６ｄに配置された温度センサ１８３および圧力センサ１８４から制御デバイスへ（弁１６２および１６４を制御するために）、信号入力が引きわたされる。
【００５２】
制御デバイス１８２は、圧力センサ１８０〜１８１で得られた入力信号を使用して、供給ライン１６ｄ内の最適な作動圧力を計算し、２つの弁１６２および１６４を操作することにより、この計算された作動圧力が設定される。さらに、供給ライン１６ｄ内に存在する作動流体の温度は、温度センサ１８３および圧力センサ１８４の温度測定に基づき、それによって加圧手段の作動流体を補給するように、制御デバイス１８２が、弁１６２および１６４を開閉することにより制御され得る。
【００５３】
図５ｂにおいて、ポンプ１６１は中間流体を貯蔵タンク１６０から供給ライン１６ｄに向かって循環させるために使用され、一方、過剰の中間流体は戻りライン１７２ａ〜ｃを介してタンク１６０に向かって戻ることができる。
【００５４】
図５ｃにおいて、ここでは中間媒体は、押しのけ要素１４ａ〜１４ｃの加圧ストロークの間に、ライン１６３ａ〜ｃを介してチャンバ１３ａ”〜１３ｃ”から供給ライン１６ｄに向かって吐き出されるので、ポンプ要素１６１はない。
【００５５】
図５ｂおよび５ｃに示されたこれらの特徴は、図３および４の実施形態においても使用され得ることに注意されたい。
【００５６】
図４（および５ｃ）を参照するとさらに、力補償システムを加圧することを意図した中間チャンバ流体を循環するためのポンプ要素１６１（図３に示されるような）は、使用されていないことが注目される。実際に図４の実施形態において、容積式ポンプデバイスが加圧ストロークする間に、中間チャンバ流体はライン１６３ｄから排出され得る。したがって図４の実施形態において、供給ライン１６ｄ内の中間流体の最大圧力は、チャンバ１３ａ”〜１３ｂ”〜１３ｃ”内に発生する最大圧力に等しいことが注目される。作動圧力が低下するときに、供給ライン１６ｄ内の圧力を低下させるために、中間チャンバ流体が排出されるように、制御デバイス１８２は弁１６２を制御できなければならない。
【００５７】
図４の実施形態は図３の実施形態に対して、供給ライン１６ｄを加圧するために追加のポンプユニットを必要としない、という利点を有する。
【００５８】
供給ライン１６ｄ内の最大圧力も、容積式ポンプによって伝達された最大圧力に限定されるが、しかしこの欠点は図３の実施形態によって回避できる。ここでポンプ要素１６１を使用することにより、より高い圧力、実際にはチャンバ１３ａ”〜１３ｃ”内で生じている圧力よりも高い圧力を供給ライン１６ｄ内で発生させることが可能になる。より高い圧力によって、供給ライン１６ｄから、およびそこへ押しのけられる中間流体はより少ない量で可能となり、ポンプ製造の製造寸法はさらに低減される。ポンプの運転中に発生する熱もやはり低減し得る。供給ライン１６ｄ内の圧力も、センサ１８０および１８１による圧力測定を用いることにより、より正確に制御可能である。
【００５９】
一例として、複数のポンプ・チャンバが隣接しているかまたは流体連通しているポンプ構成において、押しのけ要素の側への加圧手段適用の効果を例示するために、発明者はいくつかの実験的測定を行った。
【００６０】
図６ａは、本発明による加圧手段を使用した場合と使用しない場合の容積式ポンプ内のピストン・ロッド（１５）の荷重（ｋＮで測定した力）を、発明者が測定した値を示す。点線は、加圧手段を適用しない場合の測定値を示し、実線は加圧手段を適用した場合を示す。図６ａで分かるように、加圧手段を適用しない場合のロッド荷重は、吸込みストロークの間のゼロレベル近くから、排出ストロークの間のある最大値まで増加する。加圧手段が適用されたとき（この場合は平衡マニフォルド１６ｄ内の一定流体圧力で）は、排出ストロークの間の最大荷重が低減され、吸込みストロークの間のゼロレベル近くの荷重は増加されるが、反対方向（負号）である。結果としてこの場合、絶対荷重の最大値が低下される。移動手段は、ピストン・ロッド荷重の最大絶対値（符号を無視して）を考慮して設計しなければならないが、この耐えるべき最大荷重の絶対値は、本発明による加圧手段のない構成の場合よりも小さいので、したがって駆動手段はより小さい寸法で設計することが可能である。
【００６１】
図６ｂは、駆動手段としてクランクシャフト結合ロッド機構を使用している３シリンダ型容積式ポンプの場合における、可撓性の分離要素と反対側の個々の押しのけ要素によって発生させられた個々の流れの理論的計算を点線で示す。実線は３つの個々流れの和を示し、それは、個々のクランク・ジャーナル、したがってピストンの間で正常な位相角度が用いられているとき、ゼロである。これらの流れの和がゼロであることは、ポンプ・サイクル（クランクシャフトの１回転）の間における平衡マニフォルド１６ｄ内の容積が一定であることを確実にしており、したがって必要とされる蓄圧器の寸法を限定し、それは、ピストンの不正確な位相決め、流体の熱膨張、および少量の漏洩による、容積の小さな差異を補償するためにのみ必要とされる。排出圧力の小さな変化、および温度制御のための流体補給に対して反応しなければならないときに、蓄圧器はまた制御システムが過敏でないようにする。
【００６２】
説明した実施形態のさらに別の構成において、選定された加圧手段は各ピストン・チャンバ内の加圧手段と同じである必要はなく、簡便のために１つまたは複数のチャンバ内で異なる加圧手段を使用してもよい。例えば、１つのシリンダ・チャンバにはばねを取り付け、一方別のチャンバには流体を満たしてもよい。すべてのチャンバをそのように相互連結する必要がないときには、いくつかのチャンバを共通マニフォルドまたは別の形式のハウジングによって相互連結してもよい。さらなる実施形態では、シリンダ・チャンバも同じ寸法である必要はない。
【００６３】
好ましい実施形態についての前述の詳細な説明において、明確にするために特定の用語が使用されてきた。しかし説明された本発明は、そのように選定された特定の用語に限定されることは意図しておらず、各特定の用語は、同様の技術的目的を果たすために同様の形態で作動する、すべての技術的均等物を含んでいることを理解されたい。「上（ｕｐｐｅｒ）」、「下（ｌｏｗｅｒ）」、「右」、「左」等、などの用語は、基準点を示すための簡便な語として使用されたものであり、限定するための用語として解釈すべきではない。
【００６４】
繰り返しを避け、参照を容易にするために、別の図面に示された代替の実施形態の同様な構成要素と特性は、ピストン・ヘッド１４、１４ａ、１４ｂ、および１４ｃのように添字で指定されている。
【００６５】
本発明を複数の好ましい実施形態を参照して説明してきたが、本発明は他の多くの形態で具体化され得ると理解されたい。
【００６６】
以下の特許請求の範囲、および前述の説明において、言語または必要な含意を表すために、文脈上別の解釈が必要とされる場合を除き、「備える（ｃｏｍｐｒｉｓｅ）」、およびその変形である「備える（ｃｏｍｐｒｉｓｅｓ）」または「備える（ｃｏｍｐｒｉｓｉｎｇ）」という語は、包括的意味で使用されており、すなわち、記述した特性が存在することを指定するが、装置の種々の実施形態におけるさらなる特性の存在、または追加を排除するものではない。
【符号の説明】
【００６７】
１０  容積式ポンプ装置；  １３  中間流体チャンバ；  １４  ピストン・ヘッド；  
１５  ピストン・ロッド；  ２１  入口；  ２２  ポンプ・チャンバ；  
２３  ダイアフラム；  ２４  弁。  
【図１】
2010515857.tif 000003
【図２ａ】
2010515857.tif 000004
【図２ｂ】
2010515857.tif 000005
【図２ｃ】
2010515857.tif 000006
【図３】
2010515857.tif 000007
【図４】
2010515857.tif 000008
【図５ａ】
2010515857.tif 000009
【図５ｂ】
2010515857.tif 000010
【図５ｃ】
2010515857.tif 000011
【図６ａ】
2010515857.tif 000012
【図６ｂ】
2010515857.tif 000013
【国際調査報告】
2010515857.tif 000014
2010515857.tif 000015
2010515857.tif 000016